(57)【特許請求の範囲】
【請求項１】
換気部が、固定設置される浴室乾燥装置本体の横側部に当て付けた状態で、締め付け手段により、前記浴室乾燥装置本体の横側部に片持ち状に取り付けられるように構成された換気機能付き浴室乾燥装置であって、
前記浴室乾燥装置本体側及び前記換気部側の夫々に、係合状態において、前記換気部を前記浴室乾燥装置本体に対してその横側部に当て付けた状態に保持する本体側係合部及び換気部側係合部が係合自在に設けられ、
前記換気部側係合部は、前記浴室乾燥装置本体に対する前記換気部の前後方向の位置及び上下方向の位置を規制するように前記本体側係合部に係合する引っ掛け部、及び、前記浴室乾燥装置本体に対する前記換気部の左右方向の位置を規制するように前記本体側係合部に係合する横規制部を備えて構成され、
前記本体側係合部及び換気部側係合部は、その係合状態において、前記浴室乾燥装置本体に対する前記換気部の位置を、前後、上下並びに左右方向において規制した状態で係合して、前記換気部を前記浴室乾燥装置本体に対してその横側部に当て付けた状態で保持するように構成されている換気機能付き浴室乾燥装置。
【請求項２】
前記換気部側係合部を構成する係合部材が、前記換気部に設けられた下向き開口の凹部に挿脱自在な凸部を上端部に備え、且つ、締結手段にて前記換気部に締結される締結用固定部を下端部に備えるように構成されて、前記換気部に対して着脱自在に取り付けられるように構成されている請求項１記載の換気機能付き浴室乾燥装置。
【請求項３】
前記換気部側係合部を構成する前記係合部材が、前記換気部に、その横側方に突出する状態で取り付けられるように構成され、
その係合部材に、前記締め付け手段を構成するボルトを挿通するボルト挿通孔が設けられ、
前記浴室乾燥装置本体に、前記ボルトが螺着可能なネジ孔が、前記本体側係合部と前記換気部側係合部との係合状態において、前記ボルト挿通孔に重なるように設けられている請求項２記載の換気機能付き浴室乾燥装置。
【発明の詳細な説明】
【０００１】
【発明の属する技術分野】
本発明は、換気部が、固定設置される浴室乾燥装置本体の横側部に当て付けた状態で、締め付け手段により、前記浴室乾燥装置本体の横側部に片持ち状に取り付けられるように構成された換気機能付き浴室乾燥装置に関する。
【０００２】
【従来の技術】
かかる換気機能付き浴室乾燥装置（以下、単に浴室乾燥装置と記載する場合がある）は、浴室乾燥装置本体（以下、単に装置本体と記載する場合がある）を固定設置し、換気部を、固定設置された装置本体における換気部取り付け用の横側部に当て付けた状態で、締め付け手段により、装置本体の横側部に片持ち状に取り付けるように構成したものである。
例えば、装置本体は、建物のスラブ面とユニットバスの天井部との間において、ユニットバスの天井部の取り付け用開口部を通して浴室内に臨む状態で、スラブ面に埋め込み固定された複数の吊り下げボルトにて吊り下げ支持する構成としてある。
換気部は、装置本体の横側部に片持ち状に取り付けるが、換気部の取り付け作業は、ユニットバスの天井部に形成された点検用開口部を通じて行う。
【０００３】
換気部を装置本体の横側部に取り付ける換気部取り付け構成として、従来は、以下のような構成としていた。
即ち、締め付け手段を構成するボルトを挿通するためのボルト挿通孔を換気部に形成し、そのボルトを螺着するネジ孔を装置本体の横側部に形成し、ボルトをボルト挿通孔に挿通した状態でネジ孔に締め付けることにより、換気部を装置本体の横側部に取り付ける構成としてある。
ボルト挿通孔は、下方側に位置して、ボルトのボルト頭部を挿通可能な大幅部と、上方側に位置して、ボルト頭部の挿通が不可能で且つボルトの棒状のネジ部を挿通可能な小幅部が連なった、所謂、だるま状の挿通孔に形成してある。
そして、換気部を装置本体の横側部に取り付ける作業は、以下のように行う。予め、ボルトを、装置本体のネジ孔に、装置本体の側面部とボルト頭部との間に隙間が形成される状態で緩く螺着しておき、そのように緩く螺着したボルトに、換気部のだるま状のボルト挿通孔を通して、ボルトの棒状ネジ部をボルト挿通孔の小幅部に係合させることにより、換気部を仮に装置本体に支持し、続いて、ボルトを締め付けることにより、換気部を装置本体に取り付ける。
【０００４】
【発明が解決しようとする課題】
従って、従来では、装置本体の横側部に緩く螺着したボルトに、換気部のだるま状のボルト挿通孔を通すことにより、換気部を仮に装置本体に支持した仮止め状態では、換気部は、装置本体側とは反対側が下がった前下がり状態で装置本体に支持されている状態となっているので、ボルトを更に締め付けるには、例えば、片方の手で換気部を持ち上げた状態で他方の手でボルトを締め付ける必要がある。又、換気部が前下がり状態になるのを抑制するために、ボルトを螺着するときにボルト頭部と装置本体の側面部との隙間を極力狭くするようにすると、ボルトをボルト挿通孔の小幅部に係合させる作業が行いにくくなる。
従って、従来では、換気部を装置本体に取り付ける作業の作業性が悪かった。
例えば、ユニットバスの天井部に形成された狭い点検用開口部を通じて、換気部の取り付け作業を行う場合は、特に作業性が悪かった。
【０００５】
本発明は、かかる実情に鑑みてなされたものであり、その目的は、換気部を浴室乾燥装置本体に取り付ける構成を改善して、換気部の取り付け作業の作業性を向上することにある。
【０００６】
【課題を解決するための手段】
〔請求項１記載の発明〕
請求項１に記載の特徴構成は、前記浴室乾燥装置本体側及び前記換気部側の夫々に、係合状態において、前記換気部を前記浴室乾燥装置本体に対してその横側部に当て付けた状態に保持する本体側係合部及び換気部側係合部が係合自在に設けられ、
前記換気部側係合部は、前記浴室乾燥装置本体に対する前記換気部の前後方向の位置及び上下方向の位置を規制するように前記本体側係合部に係合する引っ掛け部、及び、前記浴室乾燥装置本体に対する前記換気部の左右方向の位置を規制するように前記本体側係合部に係合する横規制部を備えて構成され、
前記本体側係合部及び換気部側係合部は、その係合状態において、前記浴室乾燥装置本体に対する前記換気部の位置を、前後、上下並びに左右方向において規制した状態で係合して、前記換気部を前記浴室乾燥装置本体に対してその横側部に当て付けた状態で保持するように構成されていることにある。
【０００７】
請求項１に記載の特徴構成によれば、換気部を、それに設けられた換気部側係合部が浴室乾燥装置本体側に設けられた本体側係合部に係合する状態で配置させると、換気部は浴室乾燥装置本体に対してその横側部に当て付けられ状態に保持される。その状態で、締め付け手段を構成するボルトを、換気部に形成されたボルト挿通孔に挿通して、装置本体のネジ孔に螺着する作業を行うに当たっては、従来必要としていた、前下がり状態の換気部を持ち上げるといった作業が不要となる。
従って、換気部を浴室乾燥装置本体に取り付ける作業が簡単になり、その作業性を向上することができるようになった。
又、換気部を、それに設けられた換気部側係合部が浴室乾燥装置本体側に設けられた本体側係合部に係合する状態で配置させると、換気部は、浴室乾燥装置本体に対してその横側部に当て付けられ状態に保持されると共に、浴室乾燥装置本体に対する適切な位置に位置することになる。
そこで、締め付け手段を構成するボルトを、換気部のボルト挿通孔に挿通して、装置本体のネジ孔に螺着する作業を行うに当たって、換気部側係合部と本体側係合部とを係合させた状態で、ボルト挿通孔とネジ孔とが重なった状態となっているので、浴室乾燥装置本体に対する換気部の位置調節が不要となる。
従って、換気部を浴室乾燥装置本体に取り付ける作業の作業性を一層向上することができるようになった。
【００１０】
〔請求項２記載の発明〕
請求項２に記載の特徴構成は、前記換気部側係合部を構成する係合部材が、前記換気部に設けられた下向き開口の凹部に挿脱自在な凸部を上端部に備え、且つ、締結手段にて前記換気部に締結される締結用固定部を下端部に備えるように構成されて、前記換気部に対して着脱自在に取り付けられるように構成されていることにある。
【００１１】
請求項２に記載の特徴構成によれば、換気部側係合部を構成する係合部材は、その上端部の凸部を換気部に設けられた下向き開口の凹部に挿入した状態で、下端部の締結用固定部を締結手段にて換気部に締結することにより、換気部に取り付けることができ、又、締結手段による締結を解除することにより、換気部から取り外すことができる。例えば、締結手段を構成する１本のボルトの操作により、換気部に対する係合部材の着脱が可能となる。
従って、換気部側係合部を構成する係合部材を換気部に対して着脱自在に取り付けられるように構成するに当たって、その着脱作業を簡略化することができるようになった。
【００１２】
〔請求項３記載の発明〕
請求項３に記載の特徴構成は、前記換気部側係合部を構成する前記係合部材が、前記換気部に、その横側方に突出する状態で取り付けられるように構成され、
その係合部材に、前記締め付け手段を構成するボルトを挿通するボルト挿通孔が設けられ、
前記浴室乾燥装置本体に、前記ボルトが螺着可能なネジ孔が、前記本体側係合部と前記換気部側係合部との係合状態において、前記ボルト挿通孔に重なるように設けられていることにある。
【００１３】
請求項３に記載の特徴構成によれば、換気部側係合部を構成する係合部材が、換気部にその横側方に突出する状態で取り付けられ、本体側係合部と換気部側係合部との係合状態においては、係合部材に設けられたボルト挿通孔と、浴室乾燥装置本体に設けられたネジ孔とが重なっている。そこで、ボルトをネジ孔に螺着する作業を行うに当たって、換気部がその作業の邪魔になるのを抑制することができるので、ボルトを簡単に螺着することができる。
従って、換気部を浴室乾燥装置本体に取り付ける作業の作業性を更に向上することができるようになった。
【００１４】
【発明の実施の形態】
以下、図面に基づいて、本発明の実施の形態を説明する。
図１ないし図５に示すように、換気機能付き浴室乾燥装置には、浴室ＢＲの天井部に設置されて浴室ＢＲの乾燥や暖房を行う浴室乾燥ユニット（装置本体に相当する）Ｍ２と、その浴室乾燥ユニットＭ２の横側部に当て付けた状態で、ボルト式の締め付け手段Ｃ１により、浴室乾燥ユニットＭ２の横側部に片持ち状に取り付けられて、浴室ＢＲ、トイレＴＲ及び脱衣室ＤＲを換気する換気ユニット  （換気部に相当する）Ｍ１を備えてある。
【００１５】
浴室乾燥装置は、浴室ＢＲの天井部において、建物のスラブ面ＳｂとユニットバスＵｂの天井部との間に設置する構成にしてある。ユニットバスＵｂの天井部には、浴室乾燥装置を取り付けるための取り付け用開口部Ｋ１と、浴室乾燥装置を点検するための点検用開口部Ｋ２を形成してあり、点検用開口部Ｋ２は、通常は、開閉自在な蓋体Ｄにて閉じられている。
そして、浴室乾燥ユニットＭ２は、換気ユニットＭ１の取り付け用の横側部が点検用開口部Ｋ２側を向く姿勢で、取り付け用開口部Ｋ１を通して浴室内に臨む状態で設置し、浴室乾燥ユニットＭ２に取り付けた複数のブラケット１１と、スラブ面Ｓｂに埋め込み固定された４本の吊り下げボルト１２とにより吊り下げ支持する構成としてある。
換気ユニットＭ１は、浴室乾燥ユニットＭ２の横側部に片持ち状に取り付けるが、その取り付け作業は、点検用開口部Ｋ２を通じて行う。
【００１６】
図１、図５及び図７に示すように、浴室乾燥ユニットＭ２は、下方側が開口し、一側面に換気空気排出用の排気用接続口２を備えたケーシング１と、吸込み部３及び吹出し部４を備えてケーシング１の下方側を閉じるように配置されるグリル板５を備えている。
ケーシング１内部には、吸込み部３と吹出し部４とを接続する循環風路６を区画形成し、排気用連通口２は、吸込み部３から吹出し部４に至る循環風路６の経路の途中で、循環風路６に連通するように形成してある。
循環風路６の内部に、吸込み部３に吸気作用すると共に、吸込み空気を吹出し部４及び排気用連通口２に送るように通風作用する循環用ファン７と、循環風路６を通流する空気を加熱する熱交換器８を設けてある。熱交換器８には、外部熱源機（図示せず）から温水を循環供給するための温水循環路９を接続すると共に、その温水循環路９には、熱交換器８への温水の供給を断続する熱動弁１０を設けてある。
【００１７】
図１、図５及び図９に示すように、換気ユニットＭ１は、上方が開口したＵ字状の下枠１３、その下枠１３に対して着脱自在に構成された天板１４、及び、下枠１３と天板１４にて形成される一方の開口部を閉じる状態に、シール材３５を介在させた状態でビスにて取り付けられる背板１６等にて構成する換気用ファンケーシング１７を備えている。
換気用ファンケーシング１７を構成する下枠１３の一方の側面に２個の他室用吸気口１９を設け、他方の側面に排気口２１を設けてある。
換気用ファン２４を、換気用ファンケーシング１７を構成する天板１４に取り付けることにより、換気用ファンケーシング１７内に収納して、換気用ファン２４を換気用ファンケーシング１７内に吸気作用させ、更に、吸引空気を排気口２１から排出するように、換気用ファン２４の吐出口を排気口２１に接続してある。
【００１８】
詳細は後述するが、浴室用吸気口２３を設けた接続板１５を、その浴室用吸気口２３が浴室乾燥ユニットＭ２のケーシング１に設けた排気用接続口２に重なって連通する状態で、浴室乾燥ユニットＭ２に取り付け、換気用ファンケーシング１７を、背板１６を取り付けた側とは反対側を接続板１５に当て付けた状態で、ボルト式の締め付け手段Ｃ１により、浴室乾燥ユニットＭ２の横側部に片持ち状態で取り付ける。
【００１９】
尚、背板１６は、下枠１３と天板１４にて形成される両側の開口部のいずれにも取り付けられるように構成してあり、そのように背板１６を取り付けた換気用ファンケーシング１７を、背板１６を取り付けた側とは反対側を接続板１５に当て付けた状態で、浴室乾燥ユニットＭ２の横側部に取り付けられるように構成して、換気ユニットＭ１を、取り付け向きを選択して、浴室乾燥ユニットＭ２に取り付けられるように構成してある。
【００２０】
各他室用吸気口１９には、上下方向の移動操作により、他室用吸気口１９の開口量を調節するダンパ３６を上下移動操作自在に設けてある。
各他室用吸気口１９には、筒状のダクト接続部２０を介して、脱衣室ＤＲ及びトイレＴＲ夫々に接続される吸気ダクト３７を接続し、排気口２１には、筒状のダクト接続部２２を介して、屋外に延設される排気ダクト３８を接続し、もって、浴室乾燥ユニットＭ２を介して浴室ＢＲを換気すると共に、吸気ダクト３７を通じて、脱衣室ＤＲ及びトイレＴＲを換気するように構成してある。
【００２１】
図５、図８及び図１０に示すように、前板１５に設けた浴室用吸気口２３の上縁には、浴室乾燥ユニットＭ２側に突出する舌片２７を設け、その舌片２７に対して、矩形枠状の保持枠２８を複数のビス２９にて着脱自在に取り付け、その保持枠２８に、横軸芯周りの揺動により浴室用吸気口２３を開閉するシャッタ板３０を設けてある。
説明を加えると、保持枠２８の上下方向の略中央部に、横向きの軸体３２を枢支し、その横軸体３２に対して、シャッタ板３０を、浴室用吸気口２３を閉じる縦向き姿勢に付勢される状態で揺動自在なように略中央部にて取り付け、更に、保持枠２８の上部には、シャッタ板３０が縦向き姿勢になった状態で通電によりシャッタ板３０の上端部に吸着してシャッタ板３０を縦向き姿勢に保持する電磁石３４を設けてある。
【００２２】
電磁石３４は、浴室乾燥ユニットＭ２側から見て、シャッタ板３０の裏側の面の上端部に吸着するように配置して、電磁石３４が浴室ＢＲの湿気に晒されるのを抑制して、耐久性の向上を図っている。
シャッタ板３０は、電磁石３４が非通電状態となった状態で、換気用ファン２４の吸気作用により、下方側が換気ユニットＭ１側に揺動して横向き姿勢になって、浴室用吸気口２３を開く（図６参照）。
シャッタ板３０は、縦向き姿勢になった閉じ状態で、下方側部分が上方側部分よりも換気ユニットＭ１側に位置するように、側面視で「く」の字形状に屈曲させてあり、閉じ方向にモーメント力がかかるようにして、閉じ作動がスムーズになるようにしてある。
【００２３】
次に、図８ないし図１３に基づいて、換気ユニットＭ１を、浴室乾燥ユニットＭ２の横側部に当て付けた状態で、接続板１５に設けたネジ孔１５ａとそのネジ孔１５ａに螺着されるボルト５１から成るボルト式の締め付け手段Ｃ１により、浴室乾燥ユニットＭ２の横側部に片持ち状に取り付けるための構成について説明する。
本発明においては、浴室乾燥ユニットＭ２の側及び換気ユニットＭ１の側の夫々に、係合状態において、換気ユニットＭ１を浴室乾燥ユニットＭ２に対してその横側部に当て付けた状態に保持する本体側係合部Ｈ２及び換気部側係合部Ｈ１を係合自在に設けてある。
【００２４】
本体側係合部Ｈ２として機能させる接続板１５は、その浴室用吸気口２３が浴室乾燥ユニットＭ２のケーシング１に設けた排気用接続口２に重なって連通する状態で、ブラケット２６を介して複数のビス２５により浴室乾燥ユニットＭ２に取り付ける。
【００２５】
換気部側係合部Ｈ１を構成する係合部材として、換気ユニットＭ１の左側方に突出する状態で、換気ユニットＭ１の左端に着脱自在に取り付け可能な左用係合部材４０Ｌと、換気ユニットＭ１の右側方に突出する状態で、換気ユニットＭ１の右端に着脱自在に取り付け可能な右用係合部材４０Ｒとを設けてある。
各係合部材４０Ｌ，４０Ｒの上端には、接続板１５の上端の厚さと同一又はわずかに広い幅を有して、接続板１５の上端に下方向きに外嵌される下向き開口の引っ掛け部４１を備えてある。又、各係合部材４０Ｌ，４０Ｒには、その上端側に位置させて、ボルト式の締め付け手段Ｃ１を構成するボルト５１を挿通するためのだるま状のボルト挿通孔４２を設け、下端側に位置させて、ボルト５１を挿通するための長円状のボルト挿通孔４３を設けてある。だるま状のボルト挿通孔４３は、下方側に位置して、ボルト５１のボルト頭部を挿通可能な大幅部と、上方側に位置して、ボルト頭部の挿通が不可能で且つボルト５１の棒状のネジ部を挿通可能な小幅部が連なった状態の、だるま形状に形成してある。
【００２６】
左用係合部材４０Ｌには、平面視において、左側方に延びると共に、前方に直角に屈曲する横規制部４４を設け、右用係合部材４０Ｒには、平面視において、右側方に延びると共に、前方に直角に屈曲する横規制部４４を設けてある。
【００２７】
そして、左用係合部材４０Ｌ及び右用係合部材４０Ｒを、それらの横規制部４４の内側同士の間隔が、接続板１５の横幅と同一又はわずかに広くなる状態で、換気ユニットＭ１の換気用ファンケーシング１７を構成する下枠１３に取り付ける。
各係合部材４０Ｌ，４０Ｒには、換気用ファンケーシング１７を構成する下枠１３に設けられた下向き開口の凹部１３ａに挿脱自在な凸部４５を上端部に備え、且つ、下枠１３に形成されたネジ穴１３ｂとそのネジ穴１３ｂに螺着されるボルト５２からなるボルト式の締結手段Ｃ２にて換気ユニットＭ１に締結される締結用舌片（締結用固定部に相当する）４６を下端部に備えるように構成し、その締結用舌片５５には、ボルト挿通用のボルト挿通孔４６ａを形成してある。
そして、各係合部材４０Ｌ，４０Ｒを、夫々の凸部４５を下枠１３の凹部１３ａに挿入した状態で配置し、ボルト５２を締結用舌片４６のボルト挿通孔４６ａに挿通して、ネジ穴１３ｂに螺着することにより、締結用舌片４６を下枠１３に締結して、係合部材４０Ｌ，４０Ｒを下枠１３に取り付ける。
接続板１５のネジ孔１５ａは、本体側係合部Ｈ２として機能させる接続板１５と、換気部側係合部Ｈ１を構成する係合部材４０Ｌ，４０Ｒの係合状態、即ち、各係合部材４０Ｌ，４０Ｒの引っ掛け部４１を接続板１５の上端に引っ掛けた状態で、だるま状のボルト挿通孔４２の小幅部や長円状のボルト挿通孔４３に重なるように位置させて形成してある。
【００２８】
凹部１３ａ及びネジ穴１３ｂは、下枠１３の４個所の角部の夫々に形成してあり、左右一対の係合部材４０Ｌ，４０Ｒを、下枠１３の両側の開口端のいずれにも取り付けられるように構成してある。
【００２９】
そして、予め、ボルト５１を接続板１５の上側のネジ孔１５ａに緩く螺着しておき、換気ユニットＭ１を、それに取り付けた左右一対の係合部材４０Ｌ，４０Ｒの間に、浴室乾燥ユニットＭ２に取り付けた接続板１５を入れ込むと共に、だるま状のボルト挿通孔４２に接続板１５に緩く螺着したボルト５１を挿通した状態で、接続板１５に当て付け、その状態で、換気ユニットＭ１を下方に移動させて、各係合部材４０Ｌ，４０Ｒの引っ掛け部４１を接続板１５の上端に外嵌状態で引っ掛けて係合させることにより、換気ユニットＭ１を浴室乾燥ユニットＭ２に対してその横側部に当て付けた状態に保持することができる。
続いて、緩く螺着したボルト５１を締め付けると共に、接続板１５の下側のネジ孔１５ａにもボルト５１を締め付けることにより、換気ユニットＭ１を浴室乾燥ユニットＭ２の横側部に片持ち状態で取り付ける。
【００３０】
従って、本体側係合部Ｈ２として機能させる接続板１５、及び、換気部側係合部Ｈ１を構成する係合部材４０Ｌ，４０Ｒは、その係合状態において、浴室乾燥ユニットＭ２に対する換気ユニットＭ１の位置を、前後、上下並びに左右方向において規制するように構成してある。
【００３１】
左右一対の係合部材４０Ｌ，４０Ｒを、下枠１３の両側の開口端のいずれに取り付けるかを選択することにより、換気ユニットＭ１を、取り付け向きを選択して、浴室乾燥ユニットＭ２に取り付けることができる。つまり、排気ダクト３８等の設置位置に応じて、換気ユニットＭ１の取り付け向きを変更できるのである。
【００３２】
上述のように構成した浴室乾燥装置は、リモコン（図示せず）からの指令に基づく制御装置（図示せず）による制御によって、浴室ＢＲを乾燥する乾燥モード、浴室ＢＲの空気を循環させる涼風モード、浴室ＢＲを暖房する暖房モードに加えて、浴室ＢＲ、脱衣室ＤＲ及びトイレＴＲを通常換気量にて換気する通常換気モード、浴室ＢＲの換気を停止した状態で脱衣室ＤＲ及びトイレＴＲを前記通常換気量にて換気する浴室切状態の通常換気モード、浴室ＢＲ、脱衣室ＤＲ及びトイレＴＲを通常換気量よりも少ない少換気量にて換気する２４時間換気モード、浴室ＢＲの換気を停止した状態で脱衣室ＤＲ及びトイレＴＲを前記少換気量にて換気する浴室切状態の２４時間換気モード等の実行が可能なように構成してある。
【００３３】
２４時間換気モードの実行が指令されると、電磁石３４を非通電状態にした状態で、換気用ファン２４を通風量が少通風量となる回転数にて作動させる。
従って、図６に示すように、換気用ファン２４の吸気作用によりシャッタ板３０が横向き姿勢になって、浴室用吸気口２３が開かれるので、浴室ＢＲ、脱衣室ＤＲ及びトイレＴＲが少換気量にて換気される。
【００３４】
浴室切状態の２４時間換気モードの実行が指令されると、電磁石３４を通電状態として、電磁石３４によりシャッタ板３０を縦向き姿勢に吸着保持した状態で、換気用ファン２４を前記少通風量にて作動させる。
従って、図５に示すように、シャッタ板３０により浴室用吸気口２３が閉じられるので、浴室ＢＲの換気を停止した状態で、脱衣室ＤＲ及びトイレＴＲが少換気量にて換気される。従って、入浴中に、換気に伴う冷風感を感じるのを防止することができる。
【００３５】
通常換気モードが指令されると、電磁石３４を非通電状態にした状態で、換気用ファン２４を通風量が前記少通風量よりも多い通常通風量となる回転数にて作動させる。
従って、換気用ファン２４の吸気作用によりシャッタ板３０が横向き姿勢になって、浴室用吸気口２３が開かれるので、浴室ＢＲ、脱衣室ＤＲ及びトイレＴＲが前記少換気量よりも多いに通常換気量にて換気される。
【００３６】
浴室切状態の通常換気モードの実行が指令されると、電磁石３４を通電状態として、電磁石３４によりシャッタ板３０を縦向き姿勢に吸着保持した状態で、換気用ファン２４を前記通常通風量にて作動させる。
従って、シャッタ板３０により浴室用吸気口２３が閉じられるので、浴室ＢＲの換気を停止した状態で、脱衣室ＤＲ及びトイレＴＲが換気される。従って、浴室ＢＲが換気されない分、脱衣室ＤＲ及びトイレＴＲの換気量を前記通常換気量よりも多くすることができる。
【００３７】
乾燥モードが指令されると、電磁石３４を非通電状態にした状態で、換気用ファン２４を通風量が前記通常通風量となる回転数にて作動させ、並びに、熱動弁１０を開弁すると共に、循環用ファン７を作動させる。又、浴室内の温度を検出する温度センサ（図示せず）の検出温度に基づいて、検出温度が加熱停止用設定温度（例えば、５０°Ｃ）以上になると、熱動弁１０を閉弁して、熱交換器８に対する温水の供給を停止し、検出温度が加熱用設定温度（例えば、４０°Ｃ）以下になると、熱動弁１０を開弁して、熱交換器８に温水を循環供給する。
【００３８】
従って、換気用ファン２４の吸気作用によりシャッタ板３０が横向き姿勢になって、浴室用吸気口２３が開かれるので、吸込み部３を通じて浴室ＢＲから吸込まれて循環風路６を通流する空気の一部は、浴室用吸気口２３を経て排出され、残部は、熱交換器８を通過して加熱された後、吹出し部４から浴室ＢＲに戻される。従って、浴室ＢＲの相対湿度が低下するので、浴室ＢＲや、浴室ＢＲに設置した洗濯物等が乾燥される。又、並行して、脱衣室ＤＲ及びトイレＴＲも換気される。
【００３９】
涼風モードが指令されると、電磁石３４を非通電状態にした状態で、換気用ファン２４を通風量が前記通常通風量となる回転数にて作動させ、循環用ファン７を作動させる。
従って、換気用ファン２４の吸気作用によりシャッタ板３４が横向き姿勢になって、浴室用吸気口２３が開かれるので、吸込み部３を通じて浴室ＢＲから吸込まれて、循環風路６を通流する空気の一部は、浴室用吸気口２３を経て排出され、並びに、残部は、吹出し部４から浴室ＢＲに戻される。又、それと並行して、脱衣室ＤＲ及びトイレＴＲも換気される。
【００４０】
暖房モードが指令されると、電磁石３４を通電状態として、電磁石３４によりシャッタ板３０を縦向き姿勢に吸着保持した状態で、換気用ファン２４を通風量が前記少通風量となる回転数にて作動させ、並びに、熱動弁１０を開弁すると共に、循環用ファン７を作動させる。又、乾燥モードと同様に、前記温度センサの検出温度に基づいて、検出温度が前記加熱停止用設定温度以上になると、熱動弁１０を閉弁し、検出温度が前記加熱用設定温度以下になると、熱動弁１０を開弁する。
従って、シャッタ板３０にて浴室用吸気口２３が閉じられた状態で、吸込み部３を通じて浴室ＢＲから吸込まれた空気は、熱交換器８を通過して加熱された後、吹出し部４から浴室ＢＲに戻される。並びに、脱衣室ＤＲ及びトイレＴＲが少換気量にて換気される。即ち、暖房モードと、浴室切状態の２４時間換気モードが並行して実行されることになる。この場合、浴室用吸気口２３が閉じられているので、脱衣室ＤＲ及びトイレＴＲの換気によって、浴室ＢＲの暖房性能が低下するのが防止される。
【００４１】
〔別実施形態〕
次に別実施形態を説明する。
（イ）  本体側係合部Ｈ２と換気部側係合部Ｈ１との係合形態は種々変更可能である。上記の実施形態では、上下方向での相対移動により係合する形態としたが例えば、横方向での相対移動により係合する形態や、前後方向の相対移動により係合する形態としても良い。前後方向の相対移動により係合する形態としては、拡径付勢された突起部を、縮径させて孔に貫通させて、貫通した状態で付勢力により拡径させて係合させる形態を採用することができる。
【００４２】
（ロ）  上記の実施形態では、換気部側係合部Ｈ１を換気ユニットＭ１に着脱自在に取り付けられるように構成する場合について例示したが、これに代えて、換気部側係合部Ｈ１を換気ユニットＭ１に一体的に取り付けても良い。
【００４３】
（ハ）  上記の実施形態では、換気部側係合部Ｈ１に、締め付け手段Ｃ１を構成するボルト５１を挿通するためのボルト挿通孔を設ける場合について例示したが、そのボルト挿通孔は、換気ユニットＭ１において、換気部側係合部Ｈ１とは異なる箇所に設けても良い。
【００４４】
（ニ）  換気部側係合部Ｈ１を構成する係合部材の設置個数は、上記の実施形態において例示したように、左右の係合部材４０Ｌ，４０Ｒの２個に限定されるものではない。例えば、１個でも良く、３個以上でも良い。尚、係合部材を１個だけ設ける場合は、横方向の係合幅を広くした方が、換気ユニットＭ１の保持状態が安定するので好ましい。
【００４５】
（ホ）  上記の実施形態においては、換気ユニットＭ１に，浴室ＢＲ以外の他室（実施形態では、トイレＴＲ及び脱衣室ＤＲ）を換気する機能を備えさせたが、他室を換気する機能を省略しても良い。
上記の実施形態においては、換気ユニットＭ１は、浴室乾燥ユニットＭ２を介して浴室ＢＲに吸気作用するように構成したが、浴室乾燥ユニットＭ２を介せずに直接、浴室ＢＲに吸気作用するように構成しても良い。
【図面の簡単な説明】
【図１】  換気機能付き浴室乾燥装置の横断平面図
【図２】  換気機能付き浴室乾燥装置の正面図
【図３】  換気機能付き浴室乾燥装置の底面図
【図４】  換気機能付き浴室乾燥装置の側面図
【図５】  換気機能付き浴室乾燥装置のブロック図、及び、浴室切状態の２４時間換気モード実行時の通風状態を示す図
【図６】  換気機能付き浴室乾燥装置のブロック図、及び、２４時間換気モード実行時の通風状態を示す図
【図７】  換気機能付き浴室乾燥装置の分解斜視図
【図８】  浴室乾燥ユニットの要部の分解斜視図
【図９】  換気ユニットの分解斜視図
【図１０】  係合部の構成を示す分解斜視図
【図１１】  係合部材の取り付け構造を示す分解斜視図
【図１２】  係合部の構成を示す横断平面図
【図１３】  係合部の構成を示す縦断側面図
【符号の説明】
１３ａ          凹部
１５ａ          ネジ孔
４０Ｌ，４０Ｒ  係合部材
４１            引っ掛け部
４２，４３      ボルト挿通孔
４４            横規制部
４５            凸部
４６            締結用固定部
５２            ボルト
Ｃ１            締め付け手段
Ｃ２            締結手段
Ｈ１            換気部側係合部
Ｈ２            本体側係合部
Ｍ１            換気部
Ｍ２            浴室乾燥装置本体
【図１】
0003705716.tif 000002
【図２】
0003705716.tif 000003
【図３】
0003705716.tif 000004
【図４】
0003705716.tif 000005
【図５】
0003705716.tif 000006
【図６】
0003705716.tif 000007
【図７】
0003705716.tif 000008
【図８】
0003705716.tif 000009
【図９】
0003705716.tif 000010
【図１０】
0003705716.tif 000011
【図１１】
0003705716.tif 000012
【図１２】
0003705716.tif 000013
【図１３】
0003705716.tif 000014